(57)【特許請求の範囲】
【請求項１】
開口部が形成されたタンク部と、
モータと、
該モータによって駆動され回転可能なファンと、
該ファンの回転により開口部を介して吸引される空気から粉塵を分離するフィルタと、を有し、
該タンク部と該フィルタとは、該フィルタによって分離された粉塵を収容する集塵空間を画成し、
該タンク部は、該タンク部の下端部を区画する第１部材と、該第１部材の上方に位置し該第１部材に対して上下方向に相対的に移動可能な第２部材と、を有し、
該第２部材を該第１部材に対して上下方向に相対的に移動させる移動手段を有し、
該移動手段は、ねじ部と、該ねじ部に係合する係合部とから成り、該ねじ部と該係合部の一方が回動可能に構成されていることを特徴とする集塵機。
【請求項２】
開口部が形成されたタンク部と、
モータと、
該モータによって駆動され回転可能なファンと、
該ファンの回転により開口部を介して吸引される空気から粉塵を分離するフィルタと、を有し、
該タンク部と該フィルタとは、該フィルタによって分離された粉塵を収容する集塵空間を画成し、
該タンク部は、該タンク部の下端部を区画する第１部材と、該第１部材の上方に位置し該第１部材に対して上下方向に相対的に移動可能な第２部材と、を有し、
さらに、該第１部材と該第２部材とを接続する接続手段を有し、
該第１部材は上方が開口する凹型状をなし、該凹型形状の外周部は円筒状に構成され、該第２部材は上下方向に開口する円筒状部材により構成され、該接続手段は、該タンク部に対し回動可能に構成されていることを特徴とする集塵機。
【請求項３】
開口部が形成されたタンク部と、
モータと、
該モータによって駆動され回転可能なファンと、
該ファンの回転により開口部を介して吸引される空気から粉塵を分離するフィルタと、を有し、
該タンク部と該フィルタとは、該フィルタによって分離された粉塵を収容する集塵空間を画成し、
該タンク部は、該タンク部の下端部を区画する第１部材と、該第１部材の上方に位置し該第１部材に対して上下方向に相対的に移動可能な第２部材と、を有し、
該移動手段は、ねじ部と、該ねじ部に係合する係合部とから成り、該ねじ部と該係合部の一方が回動可能に構成され、
さらに、該第１部材と該第２部材とを接続する接続手段を有し、
該ねじ部は該第１部材の外周面に設けられ、該係合部は該接続手段の内周面に設けられることを特徴とする集塵機。
【請求項４】
開口部が形成されたタンク部と、
モータと、
該モータによって駆動され回転可能なファンと、
該ファンの回転により開口部を介して吸引される空気から粉塵を分離するフィルタと、を有し、
該タンク部と該フィルタとは、該フィルタによって分離された粉塵を収容する集塵空間を画成し、
該タンク部は、該タンク部の下端部を区画する第１部材と、該第１部材の上方に位置し該第１部材に対して上下方向に相対的に移動可能な第２部材と、を有し、
該移動手段は、ねじ部と、該ねじ部に係合する係合部とから成り、該ねじ部と該係合部の一方が回動可能に構成され、
さらに、該第１部材と該第２部材とを接続する接続手段を有し、
該係合部は該第１部材の外周面に設けられ、該ねじ部は該接続手段の内周面に設けられていることを特徴とする集塵機。
【請求項５】
開口部が形成されたタンク部と、
モータと、
該モータによって駆動され回転可能なファンと、
該ファンの回転により開口部を介して吸引される空気から粉塵を分離するフィルタと、を有し、
該タンク部と該フィルタとは、該フィルタによって分離された粉塵を収容する集塵空間を画成し、
該タンク部は、該タンク部の下端部を区画する第１部材と、該第１部材の上方に位置し該第１部材に対して上下方向に相対的に移動可能な第２部材と、を有し、
さらに、該第１部材と該第２部材とを接続する接続手段を有し、
該第２部材の外周面には、突起又は溝が形成され、該接続手段には、該突起と互いに摺動可能に係合する凹部、又は、該溝と互いに摺動可能に係合する凸部が形成され、該突起と該凹部、又は、該溝と該凸部とが係合されることにより、該接続手段は該第２タンクに対し回動可能に支持されていることを特徴とする集塵機。
【請求項６】
開口部が形成されたタンク部と、
モータと、
該モータによって駆動され回転可能なファンと、
該ファンの回転により開口部を介して吸引される空気から粉塵を分離するフィルタと、を有し、
該タンク部と該フィルタとは、該フィルタによって分離された粉塵を収容する集塵空間を画成し、
該タンク部は、該タンク部の下端部を区画する第１部材と、該第１部材の上方に位置し該第１部材に対して上下方向に相対的に移動可能な第２部材と、を有し、
さらに、該第１部材の内周面には位置決め突起又は位置決め溝が形成され、該第２部材の外周面には、該位置決め突起に係合可能な凹部、又は、該位置決め溝に係合可能な位置決め凸部が形成され、該位置決め溝及び該位置決め凹部は、上下方向に延びていることを特徴とする記載の集塵機。
【請求項７】
該係合部は、該ねじ部のねじ溝に係合可能な径を有するピンであることを特徴とする請求項１に記載の集塵機。
【請求項８】
該係合部は、該ねじ部のねじ溝に係合可能な径を有するローラと、該ローラを回転可能に支持するピンを有することを特徴とする請求項１に記載の集塵機。
【請求項９】
該係合部は、該ねじ部のねじ溝に係合可能なピンと、該ピンを回転可能に支持するボールベアリングとを有することを特徴とする請求項１に記載の集塵機。
【請求項１０】
該ねじ部のねじ溝には、該係合部の回動範囲を規制する規制片が設けられていることを特徴とする請求項１に記載の集塵機。
【請求項１１】
該ねじ部は、多条ねじであることを特徴とする請求項１に記載の集塵機。
【請求項１２】
開口部が形成されたタンク部と、
モータと、
該モータによって駆動され回転可能なファンと、
該ファンの回転により開口部を介して吸引される空気から粉塵を分離するフィルタと、を有し、
該タンク部と該フィルタとは、該フィルタによって分離された粉塵を収容する集塵空間を画成し、
該タンク部は、該タンク部の下端部を区画する第１部材と、該第１部材の上方に位置し該第１部材に対して上下方向に相対的に移動可能な第２部材と、を有し、
さらに、該第１部材と該第２部材とを接続する接続手段を有し、
該接続手段はスクリュリングからなり、該スクリュリングに把持部を設けることを特徴とする集塵機。
【請求項１３】
該把持部は、該スクリュリングの外周面に設けられた凸部又は凹部であることを特徴とする請求項１２に記載の集塵機。
【請求項１４】
さらに、該スクリュリングの外周面を覆う緩衝材を設けたことを特徴とする請求項１２又は１３に記載の集塵機。
【請求項１５】
該スクリュリングは、一端部と、該一端部から円弧状に延び該一端部から離間した他端部と、該一端部と該他端部とを接続し該スクリュリングの内径を調整する調整部と、を有することを特徴とする請求項１２乃至１４のいずれか一に記載の集塵機。
【請求項１６】
該スクリュリングは、一端部と、該一端部から円弧状に延び該一端部から離間した他端部と、を有し、該一端部には固着突起又は固着溝が設けられ、該他端部には該固着突起又は該固着溝と係合する固着凹部及び固着凸部が設けられていることを特徴とする請求項１２乃至１４のいずれか一に記載の集塵機。
【請求項１７】
開口部が形成されたタンク部と、
モータと、
該モータによって駆動され回転可能なファンと、
該ファンの回転により開口部を介して吸引される空気から粉塵を分離するフィルタと、を有し、
該タンク部と該フィルタとは、該フィルタによって分離された粉塵を収容する集塵空間を画成し、
該タンク部は、該タンク部の下端部を区画する第１部材と、該第１部材の上方に位置し該第１部材に対して上下方向に相対的に移動可能な第２部材と、を有し、
該タンク部の下部には、複数のキャスタが設けられ、少なくとも１つのキャスタは旋回不能であることを特徴とする集塵機。
【請求項１８】
該ねじ部は該第２部材の外周面に設けられ、該係合部は該第１部材の内周面に設けられることを特徴とする請求項１に記載の集塵機。
【請求項１９】
開口部が形成されたタンク部と、
モータと、
該モータによって駆動され回転可能なファンと、
該ファンの回転により開口部を介して吸引される空気から粉塵を分離するフィルタと、を有し、
該タンク部と該フィルタとは、該フィルタによって分離された粉塵を収容する集塵空間を画成し、
該タンク部は、該タンク部の下端部を区画する第１部材と、該第１部材の上方に位置し該第１部材に対して上下方向に相対的に移動可能な第２部材と、を有し、
該第２部材の外周は、該第１部材の外周より小さいことを特徴とする集塵機。
【請求項２０】
開口部が形成されたタンク部と、
モータと、
該モータによって駆動され回転可能なファンと、
該ファンの回転により開口部を介して吸引される空気から粉塵を分離するフィルタと、を有し、
該タンク部と該フィルタとは、該フィルタによって分離された粉塵を収容する集塵空間を画成し、
該タンク部は、該タンク部の下端部を区画する第１部材と、該第１部材の上方に位置し該第１部材に対して上下方向に相対的に移動可能な第２部材と、を有し、
該フィルタは、該第２部材によって支持され、該第２部材に追従し上下方向に移動することを特徴とする集塵機。
【発明の詳細な説明】
【技術分野】
【０００１】
本発明は、吸引した粉塵を溜めるタンクを有する集塵機に関する。
【背景技術】
【０００２】
集塵機は、木屑や金属片等の粉塵が発生する作業現場において使用される。図１７は、従来の集塵機の一例を示す図である。集塵機１０００は、モータ１００１によって駆動されるファン１００２と、開口部１００３ａが形成されたタンク１００３とを有する。モータ１００１を駆動するとファン１００２が回転し、木屑や金属片等の粉塵を含む空気は開口部１００３ａを介してタンク１００３内へと吸引される。タンク１００３内に吸引された空気はフィルタ１００４によって粉塵と空気とに分離され、分離された粉塵はタンク１００３内に収容される（特許文献１参照）。
【特許文献１】特開２００６−１１００７７号公報
【０００３】
一般的に、使用者は、環境や使用用途に応じて最適なタンク容量（集塵容量）の集塵機を選定する。具体的には、木屑や金属片等の粉塵が多く発生する環境ではタンク容量の大きい集塵機を、運搬・移動が伴う場合にはタンク容量が小さくコンパクトな集塵機を選定し、使用する。そのため、使用者はタンク容量の異なる集塵機を複数所有する必要があった。
【発明の開示】
【発明が解決しようとする課題】
【０００４】
そこで、本発明は、斯かる実情に鑑み、集塵容量の変更を容易に行うことができる集塵機を提供することを目的とする。
【課題を解決するための手段】
【０００５】
上記目的を達成するために、本発明は、開口部が形成されたタンク部と、モータと、該モータによって駆動され回転可能なファンと、該ファンの回転により開口部を介して吸引される空気から粉塵を分離するフィルタと、を有し、該タンク部と該フィルタとは、該フィルタによって分離された粉塵を収容する集塵空間を画成し、該タンク部は、該タンク部の下端部を区画する第１部材と、該第１部材の上方に位置し該第１部材に対して上下方向に相対的に移動可能な第２部材と、を有し、該第２部材を該第１部材に対して上下方向に相対的に移動させる移動手段を有し、該移動手段は、ねじ部と、該ねじ部に係合する係合部とから成り、該ねじ部と該係合部の一方が回動可能に構成されていることを特徴とする集塵機を提供している。
【０００９】
また、開口部が形成されたタンク部と、モータと、該モータによって駆動され回転可能なファンと、該ファンの回転により開口部を介して吸引される空気から粉塵を分離するフィルタと、を有し、該タンク部と該フィルタとは、該フィルタによって分離された粉塵を収容する集塵空間を画成し、該タンク部は、該タンク部の下端部を区画する第１部材と、該第１部材の上方に位置し該第１部材に対して上下方向に相対的に移動可能な第２部材と、を有し、さらに、該第１部材と該第２部材とを接続する接続手段を有し、該第１部材は上方が開口する凹型状をなし、該凹型形状の外周部は円筒状に構成され、該第２部材は上下方向に開口する円筒状部材により構成され、該接続手段は、該タンク部に対し回動可能に構成されていることを特徴とする集塵機を提供している。
【００１０】
また、開口部が形成されたタンク部と、モータと、該モータによって駆動され回転可能なファンと、該ファンの回転により開口部を介して吸引される空気から粉塵を分離するフィルタと、を有し、該タンク部と該フィルタとは、該フィルタによって分離された粉塵を収容する集塵空間を画成し、該タンク部は、該タンク部の下端部を区画する第１部材と、該第１部材の上方に位置し該第１部材に対して上下方向に相対的に移動可能な第２部材と、を有し、該移動手段は、ねじ部と、該ねじ部に係合する係合部とから成り、該ねじ部と該係合部の一方が回動可能に構成され、さらに、該第１部材と該第２部材とを接続する接続手段を有し、該ねじ部は該第１部材の外周面に設けられ、該係合部は該接続手段の内周面に設けられることを特徴とすることを特徴とする集塵機を提供している。
【００１１】
また、開口部が形成されたタンク部と、モータと、該モータによって駆動され回転可能なファンと、該ファンの回転により開口部を介して吸引される空気から粉塵を分離するフィルタと、を有し、該タンク部と該フィルタとは、該フィルタによって分離された粉塵を収容する集塵空間を画成し、該タンク部は、該タンク部の下端部を区画する第１部材と、該第１部材の上方に位置し該第１部材に対して上下方向に相対的に移動可能な第２部材と、を有し、該移動手段は、ねじ部と、該ねじ部に係合する係合部とから成り、該ねじ部と該係合部の一方が回動可能に構成され、さらに、該第１部材と該第２部材とを接続する接続手段を有し、該係合部は該第１部材の外周面に設けられ、該ねじ部は該接続手段の内周面に設けられていることを特徴とする集塵機を提供している。
【００１２】
また、開口部が形成されたタンク部と、モータと、該モータによって駆動され回転可能なファンと、該ファンの回転により開口部を介して吸引される空気から粉塵を分離するフィルタと、を有し、該タンク部と該フィルタとは、該フィルタによって分離された粉塵を収容する集塵空間を画成し、該タンク部は、該タンク部の下端部を区画する第１部材と、該第１部材の上方に位置し該第１部材に対して上下方向に相対的に移動可能な第２部材と、を有し、さらに、該第１部材と該第２部材とを接続する接続手段を有し、該第２部材の外周面には、突起又は溝が形成され、該接続手段には、該突起と互いに摺動可能に係合する凹部、又は、該溝と互いに摺動可能に係合する凸部が形成され、該突起と該凹部、又は、該溝と該凸部とが係合されることにより、該接続手段は該第２タンクに対し回動可能に支持されていることを特徴とする集塵機を提供している。
【００１３】
また、開口部が形成されたタンク部と、モータと、該モータによって駆動され回転可能なファンと、該ファンの回転により開口部を介して吸引される空気から粉塵を分離するフィルタと、を有し、該タンク部と該フィルタとは、該フィルタによって分離された粉塵を収容する集塵空間を画成し、該タンク部は、該タンク部の下端部を区画する第１部材と、該第１部材の上方に位置し該第１部材に対して上下方向に相対的に移動可能な第２部材と、を有し、さらに、該第１部材の内周面には位置決め突起又は位置決め溝が形成され、該第２部材の外周面には、該位置決め突起に係合可能な凹部、又は、該位置決め溝に係合可能な位置決め凸部が形成され、該位置決め溝及び該位置決め凹部は、上下方向に延びていることを特徴とする集塵機を提供している。
【００１４】
また、該係合部は、該ねじ部のねじ溝に係合可能な径を有するピンであることが好ましい。
【００１５】
また、該係合部は、該ねじ部のねじ溝に係合可能な径を有するローラと、該ローラを回転可能に支持するピンを有することが好ましい。
【００１６】
また、該係合部は、該ねじ部のねじ溝に係合可能なピンと、該ピンを回転可能に支持するボールベアリングとを有することが好ましい。
【００１７】
また、該ねじ部のねじ溝には、該係合部の回動範囲を規制する規制片が設けられていることが好ましい。
【００１８】
該ねじ部は、多条ねじであることが好ましい。
【００１９】
また、開口部が形成されたタンク部と、モータと、該モータによって駆動され回転可能なファンと、該ファンの回転により開口部を介して吸引される空気から粉塵を分離するフィルタと、を有し、該タンク部と該フィルタとは、該フィルタによって分離された粉塵を収容する集塵空間を画成し、該タンク部は、該タンク部の下端部を区画する第１部材と、該第１部材の上方に位置し該第１部材に対して上下方向に相対的に移動可能な第２部材と、を有し、さらに、該第１部材と該第２部材とを接続する接続手段を有し、該接続手段はスクリュリングからなり、該スクリュリングに把持部を設けることを特徴とする集塵機を提供している。
【００２０】
また、該把持部は、該スクリュリングの外周面に設けられた凸部又は凹部であることが好ましい。
【００２１】
さらに、該スクリュリングの外周面を覆う緩衝材を設けたことが好ましい。
【００２２】
また、該スクリュリングは、一端部と、該一端部から円弧状に延び該一端部から離間した他端部と、該一端部と該他端部とを接続し該スクリュリングの内径を調整する調整部と、を有することが好ましい。
【００２３】
また、該スクリュリングは、一端部と、該一端部から円弧状に延び該一端部から離間した他端部と、を有し、該一端部には固着突起又は固着溝が設けられ、該他端部には該固着突起又は該固着溝と係合する固着凹部及び固着凸部が設けられていることが好ましい。
【００２４】
また、開口部が形成されたタンク部と、モータと、該モータによって駆動され回転可能なファンと、該ファンの回転により開口部を介して吸引される空気から粉塵を分離するフィルタと、を有し、該タンク部と該フィルタとは、該フィルタによって分離された粉塵を収容する集塵空間を画成し、該タンク部は、該タンク部の下端部を区画する第１部材と、該第１部材の上方に位置し該第１部材に対して上下方向に相対的に移動可能な第２部材と、を有し、該タンク部の下部には複数のキャスタが設けられ、少なくとも１つのキャスタは旋回不能であることを特徴とする集塵機を提供している。
【００２５】
また、該ねじ部は該第２部材の外周面に設けられ、該係合部は該第１部材の内周面に設けられることが好ましい。
【００２６】
また、開口部が形成されたタンク部と、モータと、該モータによって駆動され回転可能なファンと、該ファンの回転により開口部を介して吸引される空気から粉塵を分離するフィルタと、を有し、該タンク部と該フィルタとは、該フィルタによって分離された粉塵を収容する集塵空間を画成し、該タンク部は、該タンク部の下端部を区画する第１部材と、該第１部材の上方に位置し該第１部材に対して上下方向に相対的に移動可能な第２部材と、を有し、該第２部材の外周は、該第１部材の外周より小さいことを特徴とする集塵機を提供している。
【００２７】
また、開口部が形成されたタンク部と、モータと、該モータによって駆動され回転可能なファンと、該ファンの回転により開口部を介して吸引される空気から粉塵を分離するフィルタと、を有し、該タンク部と該フィルタとは、該フィルタによって分離された粉塵を収容する集塵空間を画成し、該タンク部は、該タンク部の下端部を区画する第１部材と、該第１部材の上方に位置し該第１部材に対して上下方向に相対的に移動可能な第２部材と、を有し、該フィルタは、該第２部材によって支持され、該第２部材に追従し上下方向に移動することを特徴とする集塵機を提供している。
【発明の効果】
【００２８】
請求項１に記載の発明によれば、タンク部とフィルタとは、フィルタによって分離された粉塵を収容する集塵空間を画成し、タンク部は第１部材と、第１部材に対し相対的に上下方向に移動する第２部材とを設けたため、集塵空間の容量を変更することができる。よって、従来のように集塵容量別に複数台の集塵機を所有する必要がなく、コストを低減でき、集塵機を保管しておくスペースを小さくすることができる。
【００２９】
また、運搬時、移動時等の集塵作業を行わない際には、第２部材を第１部材側に移動させることにより、集塵機の製品高さを小さくすることができる。よって、運搬時にトラック等に積載する際には、より多くの集塵機を積載することができる。また、作業現場において高さが低い箇所でも集塵機の移動を容易に行えるため、操作性を向上させることができる。
【００３０】
また、第２部材を第１部材に対して相対的に移動させる移動手段を有するので、移動手段によって第２部材を第１部材に対し上下方向に移動させることにより集塵空間の容量を簡単に変更することができる。
【００３１】
また、移動手段を、ねじ部と、ねじ部に係合する係合部とで構成し、どちらか一方を回動可能に構成したため、移動手段を回動させれば簡単に集塵空間の容量を変更することができる。また、安価で簡易な構成で移動手段を実現できるので、経済的である。
【００３２】
請求項２に記載の発明によれば、タンク部とフィルタとは、フィルタによって分離された粉塵を収容する集塵空間を画成し、タンク部は第１部材と、第１部材に対し相対的に上下方向に移動する第２部材とを設けたため、集塵空間の容量を変更することができる。よって、従来のように集塵容量別に複数台の集塵機を所有する必要がなく、コストを低減でき、集塵機を保管しておくスペースを小さくすることができる。また、運搬時、移動時等の集塵作業を行わない際には、第２部材を第１部材側に移動させることにより、集塵機の製品高さを小さくすることができる。よって、運搬時にトラック等に積載する際には、より多くの集塵機を積載することができる。また、作業現場において高さが低い箇所でも集塵機の移動を容易に行えるため、操作性を向上させることができる。また、第１部材と第２部材とを接続する接続手段を有するため、第２部材を第１部材とは別部材で構成することができ、集塵空間の容量を変更することができる。また、第１部材と第２部材との間から空気が漏れることを防止することができる。
【００３３】
また、接続手段は、タンク部に対し回動可能に構成されているため、接続手段を回動するだけで簡単に集塵空間の容量を変更することができる。また、集塵空間の容量を微調整することができる。
【００３４】
請求項３又は４に記載の発明によれば、タンク部とフィルタとは、フィルタによって分離された粉塵を収容する集塵空間を画成し、タンク部は第１部材と、第１部材に対し相対的に上下方向に移動する第２部材とを設けたため、集塵空間の容量を変更することができる。よって、従来のように集塵容量別に複数台の集塵機を所有する必要がなく、コストを低減でき、集塵機を保管しておくスペースを小さくすることができる。また、運搬時、移動時等の集塵作業を行わない際には、第２部材を第１部材側に移動させることにより、集塵機の製品高さを小さくすることができる。よって、運搬時にトラック等に積載する際には、より多くの集塵機を積載することができる。また、作業現場において高さが低い箇所でも集塵機の移動を容易に行えるため、操作性を向上させることができる。また、移動手段を、ねじ部と、ねじ部に係合する係合部とで構成し、どちらか一方を回動可能に構成したため、移動手段を回動させれば簡単に集塵空間の容量を変更することができる。また、安価で簡易な構成で移動手段を実現できるので、経済的である。また、第１部材と第２部材とを接続する接続手段を有するため、第２部材を第１部材とは別部材で構成することができ、集塵空間の容量を変更することができる。また、第１部材と第２部材との間から空気が漏れることを防止することができる。また、第２部材を第１部材に対して相対的に移動させる移動手段を有するので、移動手段によって第２部材を第１部材に対し上下方向に移動させることにより集塵空間の容量を簡単に変更することができる。また、移動手段を、ねじ部と、ねじ部に係合する係合部とで構成し、どちらか一方を回動可能に構成したため、移動手段を回動させれば簡単に集塵空間の容量を変更することができる。また、安価で簡易な構成で移動手段を実現できるので、経済的である。また、第１部材と第２部材とを接続する接続手段を有するため、第２部材を第１部材とは別部材で構成することができ、集塵空間の容量を変更することができる。また、第１部材と第２部材との間から空気が漏れることを防止することができる。また、ねじ部又は係合部が第１部材の外周面に設けられ、対応する係合部又はねじ部が接続手段の内周面に設けられているので、接続手段を第１部材に対し回動させることにより、簡単な構成で集塵空間の容量を変更することができる。よって、第２部材の形状を単純化でき、複雑な加工が不要となる。また、回動動作によって接続手段が摩耗した際には、接続手段のみを交換し第２部材をそのまま使用することができるので経済的である。
【００３５】
請求項５に記載の発明によれば、タンク部とフィルタとは、フィルタによって分離された粉塵を収容する集塵空間を画成し、タンク部は第１部材と、第１部材に対し相対的に上下方向に移動する第２部材とを設けたため、集塵空間の容量を変更することができる。よって、従来のように集塵容量別に複数台の集塵機を所有する必要がなく、コストを低減でき、集塵機を保管しておくスペースを小さくすることができる。また、運搬時、移動時等の集塵作業を行わない際には、第２部材を第１部材側に移動させることにより、集塵機の製品高さを小さくすることができる。よって、運搬時にトラック等に積載する際には、より多くの集塵機を積載することができる。また、作業現場において高さが低い箇所でも集塵機の移動を容易に行えるため、操作性を向上させることができる。また、第１部材と第２部材とを接続する接続手段を有するため、第２部材を第１部材とは別部材で構成することができ、集塵空間の容量を変更することができる。また、第１部材と第２部材との間から空気が漏れることを防止することができる。また、接続手段を回動する際に、第２部材に設けた突起又は溝が接続手段に設けた凹部又は凸部と係合するため、第２部材は接続手段に支持され、接続手段を回動するだけの簡単な操作により第２部材が上下動可能となり、簡単に集塵空間の容量を変更することができる。
【００３６】
請求項６に記載の発明によれば、タンク部とフィルタとは、フィルタによって分離された粉塵を収容する集塵空間を画成し、タンク部は第１部材と、第１部材に対し相対的に上下方向に移動する第２部材とを設けたため、集塵空間の容量を変更することができる。よって、従来のように集塵容量別に複数台の集塵機を所有する必要がなく、コストを低減でき、集塵機を保管しておくスペースを小さくすることができる。また、運搬時、移動時等の集塵作業を行わない際には、第２部材を第１部材側に移動させることにより、集塵機の製品高さを小さくすることができる。よって、運搬時にトラック等に積載する際には、より多くの集塵機を積載することができる。また、作業現場において高さが低い箇所でも集塵機の移動を容易に行えるため、操作性を向上させることができる。また、第１部材の内周面には位置決め突起又は位置決め溝が形成され、第２部材の外周面には、位置決め突起に係合可能な凹部、又は、位置決め溝に係合可能な位置決め凸部が形成され、位置決め溝及び位置決め凹部は上下方向に延びているため、接続手段を第１部材に対し回転させた際には、第２部材が第１部材に対し回転することを防止でき、第２部材は上下方向にのみ移動することができる。
【００３７】
請求項７に記載の発明によれば、係合部は、ねじ部のねじ溝に係合可能なピンであるので、ねじ部のねじ溝と接触する面積が小さくなり、接続手段を回動させる際に、ねじ溝と係合部との摩擦を低減することができる。よって、容易に接続手段を回動させることができ、操作性が向上する。
【００３８】
請求項８に記載の発明によれば、係合部は、ねじ部のねじ溝に係合可能な外径を有するローラと、ローラを回転可能に支持するピンを有するので、ねじ部とローラとはころがり接触となり、ねじ溝と係合部との摩擦を低減することができる。よって、容易に接続手段を回動させることができ、操作性が向上する。
【００３９】
請求項９に記載の発明によれば、係合部は、ねじ部のねじ溝に係合可能なピンと、ピンを回転可能に支持するボールベアリングとを有するので、ねじ部とピンとは転がり接触となり、ねじ溝と係合部との摩擦を低減することができる。よって、容易に接続手段を回動させることができ、操作性が向上する。
【００４０】
請求項１０に記載の発明によれば、ねじ部のねじ溝には、係合部の回動範囲を規制する規制片を設けたため、第２部材の第１部材に対する移動範囲を簡易な構成で規制することができ、集塵空間の最大容量と最小容量とを容易に調整することができる。
【００４１】
請求項１１に記載の発明によれば、ねじ部を多条ねじとしたため、移動手段を少し回動させるだけで、第２部材を上下方向に大きく移動させることができるので、集塵空間の容量を大幅に変更することができる。よって、操作性を向上させることができる。
【００４２】
請求項１２に記載の発明によれば、タンク部とフィルタとは、フィルタによって分離された粉塵を収容する集塵空間を画成し、タンク部は第１部材と、第１部材に対し相対的に上下方向に移動する第２部材とを設けたため、集塵空間の容量を変更することができる。よって、従来のように集塵容量別に複数台の集塵機を所有する必要がなく、コストを低減でき、集塵機を保管しておくスペースを小さくすることができる。また、運搬時、移動時等の集塵作業を行わない際には、第２部材を第１部材側に移動させることにより、集塵機の製品高さを小さくすることができる。よって、運搬時にトラック等に積載する際には、より多くの集塵機を積載することができる。また、作業現場において高さが低い箇所でも集塵機の移動を容易に行えるため、操作性を向上させることができる。また、第１部材と第２部材とを接続する接続手段を有するため、第２部材を第１部材とは別部材で構成することができ、集塵空間の容量を変更することができる。また、第１部材と第２部材との間から空気が漏れることを防止することができる。また、接続手段はスクリュリングから成り、スクリュリングに把持部を設けたため、接続手段を回動させる際に、把持部に指を引掛けることができ、容易に接続手段を回動することができる。よって、操作性の向上させることができる。
【００４３】
請求項１３に記載の発明によれば、把持部はスクリュリングの外周面に設けられた凸部又は凹部であるので、簡易な構成によって把持部を形成することができる。
【００４４】
請求項１４に記載の発明によれば、スクリュリングの外周面を覆う緩衝材を設けたので、移動時や運搬時等に受ける外部からの衝撃を吸収することができる。よって、スクリュリングの変形を防止することができる。
【００４５】
請求項１５に記載の発明によれば、スクリュリングは、一端部と、一端部から円弧状に延び一端部から離間した他端部と、一端部と他端部とを接続しスクリュリングの内径を調整する調整部とを有するので、スクリュリングの径を調整することができる。よって、調整部によってスクリュリングの内径を調整することにより、第１部材と第２部材とのガタつきを吸収することができる。また、樹脂成形をする場合には、一端部と他端部とを一体的に形成する場合と比較して、型構造が単純となり、安価な型代で収めることができる。
【００４６】
請求項１６に記載の発明によれば、スクリュリングは、一端部と、一端部から円弧状に延び一端部から離間した他端部とを有し、一端部には固着突起又は固着溝が設けられ、他端部には固着突起又は固着溝と係合する固着凹部及び固着凸部が設けられている。よって、固着突起と固着凹部、又は、固着溝と固着凸部、を係合、解除することにより、容易にスクリュリングを着脱することができる。また、一端部と他端部とは位置決めと固定とが同時になされるので、組立性を向上させることができる。
【００４７】
請求項１７に記載の発明によれば、タンク部とフィルタとは、フィルタによって分離された粉塵を収容する集塵空間を画成し、タンク部は第１部材と、第１部材に対し相対的に上下方向に移動する第２部材とを設けたため、集塵空間の容量を変更することができる。よって、従来のように集塵容量別に複数台の集塵機を所有する必要がなく、コストを低減でき、集塵機を保管しておくスペースを小さくすることができる。また、運搬時、移動時等の集塵作業を行わない際には、第２部材を第１部材側に移動させることにより、集塵機の製品高さを小さくすることができる。よって、運搬時にトラック等に積載する際には、より多くの集塵機を積載することができる。また、作業現場において高さが低い箇所でも集塵機の移動を容易に行えるため、操作性を向上させることができる。また、タンク部の下部には、複数のキャスタが設けられ、少なくとも１つのキャスタは旋回不能であるので、接続手段を回動した際に、第１部材が接続手段と共に回転することを防止できる。
【００４８】
請求項１８に記載の発明によれば、ねじ部は第２部材の外周面に設けられ、係合部は第１部材の内周面に設けられているので、第２部材を第１部材に対して回動させることにより、第２部材を上下方向に移動させることができる。よって、より安価で簡易な構成で、集塵空間の容量を変更することができる。
【００４９】
請求項１９に記載の発明によれば、タンク部とフィルタとは、フィルタによって分離された粉塵を収容する集塵空間を画成し、タンク部は第１部材と、第１部材に対し相対的に上下方向に移動する第２部材とを設けたため、集塵空間の容量を変更することができる。よって、従来のように集塵容量別に複数台の集塵機を所有する必要がなく、コストを低減でき、集塵機を保管しておくスペースを小さくすることができる。また、運搬時、移動時等の集塵作業を行わない際には、第２部材を第１部材側に移動させることにより、集塵機の製品高さを小さくすることができる。よって、運搬時にトラック等に積載する際には、より多くの集塵機を積載することができる。また、作業現場において高さが低い箇所でも集塵機の移動を容易に行えるため、操作性を向上させることができる。また、第２部材の内周を第１部材の外周より小さくしたため、第１部材は第２部材を上下方向に移動させる際のガイドとなり、第２部材が傾いたりねじれたりすることを防止することができる。また、別途タンク部をガイドする部材を設ける必要がないので、部品点数の増加を防止することができる。
【００５０】
請求項２０に記載の発明によれば、タンク部とフィルタとは、フィルタによって分離された粉塵を収容する集塵空間を画成し、タンク部は第１部材と、第１部材に対し相対的に上下方向に移動する第２部材とを設けたため、集塵空間の容量を変更することができる。よって、従来のように集塵容量別に複数台の集塵機を所有する必要がなく、コストを低減でき、集塵機を保管しておくスペースを小さくすることができる。また、運搬時、移動時等の集塵作業を行わない際には、第２部材を第１部材側に移動させることにより、集塵機の製品高さを小さくすることができる。よって、運搬時にトラック等に積載する際には、より多くの集塵機を積載することができる。また、作業現場において高さが低い箇所でも集塵機の移動を容易に行えるため、操作性を向上させることができる。また、フィルタは、第２部材によって支持され第２部材に追従し上下方向に移動するので、フィルタの支持部材及び移動手段を別途用意する必要がなく、簡単な構成で集塵機を構成することができる。よって、部品点数の増加を防止することができる。
【発明を実施するための最良の形態】
【００５１】
本発明の第１の実施の形態に係る集塵機について、図１乃至図８に基づき説明する。
【００５２】
集塵機１は、ヘッド部と、ヘッド部の下方に位置するタンク部とを有する構成である。図１に示されるように、ハウジング２は、ヘッド部を形成するヘッドカバー３と、タンク部を形成するタンク４とから構成されている。ヘッドカバー３には、モータ５と、モータ５と同軸に固定されたファン６が収容されている。ヘッドカバー３の側面には、モータ５を駆動するスイッチ３Ａが設けられ、ファン６の回転時にヘッドカバー３内に発生する気体を排出する排出口３ａ（図２）が形成されている。ファン６は、モータ５によって駆動され回転可能に構成されている。
【００５３】
フィルタ装置７は、ヘッドカバー３のうちタンク４内に配置された部分を覆うように設けられている。具体的には、ファン６及び不図示の除塵装置を覆うように設けられている。除塵装置は、フィルタ装置７が粉塵により目詰まりした際に粉塵をフィルタ装置７から振るい落とすように動作する。フィルタ装置７は、通過する気体から粉塵をろ過し、気体と粉塵とを分離する。
【００５４】
タンク４には、ダクトホース９２（図３参照）と着脱可能な吸入口４ａが形成されている。ダクトホース９２は一端が電動工具に接続可能な構成である。タンク４は、ダクトホース９２を介して電動工具内又は外部から吸引された粉塵を集塵する。具体的には、吸引された粉塵は、タンク４とフィルタ装置７とによって画成された集塵空間４ｂ内に堆積する。集塵空間４ｂの容量が、集塵機１のタンク容量となる。
【００５５】
タンク４は、タンク４の下端部を区画する下タンク４１と、下タンク４１の上方に位置し下タンク４１に対し上下方向に相対的に移動可能な上タンク４２とから構成されている。
【００５６】
下タンク４１は上方が開口する凹型状をなし、凹型形状の外周部は円筒状に構成されている。下タンク４１は、ほぼ全周に亘ってねじ部４１ａが形成された外周面４１Ａと、上タンク４２の外径よりも僅かに大きい径を有する内周面４１Ｂと、底面４１Ｃとを有している。下タンク４１の内周面４１Ｂには位置決め突起４１Ｄが形成されている。ねじ部４１ａは、後述するスクリュリング８の係合突起８Ｄに対し多条ねじとなるように形成されており、ねじ部４１ａの始点と終点には、図５（ａ）、（ｂ）に示されるように、係合突起８Ｄの摺動可能範囲を規定する規制壁４１Ｅが設けられている。
【００５７】
上タンク４２は、上下方向に開口する円筒状部材により構成され、ヘッドカバー３及びフィルタ装置７を支持している。図１に示されるように、上タンク４２は、下タンク４１の内径よりも小さい径を有する外周面４２Ａと、内周面４２Ｂとを有している。外周面４２Ａには、下タンク４１のねじ部４１ａを覆うように突出した接続部４２Ｃと、下タンク４１に形成された位置決め突起４１Ｄに係合し上タンク４２の軸方向（上下方向）に延びる位置決め溝部４２ａが設けられている。接続部４２Ｃには、下タンク４１の半径方向外側に向かって突起４２Ｄが設けられている。
【００５８】
下タンク４１と上タンク４２とは、スクリュリング８によって接続されている。スクリュリング８は、外周面８Ａと内周面８Ｂとを有している。内周面８Ｂには、係合突起８Ｄが設けられ、係合突起８Ｄの上方には内周面８Ｂの全周に亘って支持溝８ａが形成されている。スクリュリング８は、タンク４に対し回動可能に構成されている。具体的には、係合突起８Ｄは、下タンク４１の外周面４１Ａに設けられたねじ部４１ａに係合可能な形状であって、ねじ部４１ａに沿って摺動可能に形成されている。図６に示されるように、支持溝８ａは、上タンク４２の外周面４２Ａの接続部４２Ｃに設けられた突起４２Ｅに係合可能な形状であって、突起４２Ｅの下面と当接することにより上タンク４２を支持する。また、支持溝８ａは、上タンク４２の突起４２Ｅのうち下面を除く部分とは、僅かに離間するように形成されている。つまり、上タンク４２の突起４２Ｅは、支持溝８ａと係合され支持されると共に、支持溝８ａに対し互いに摺動可能に構成されている。また、図３に示されるように、スクリュリング８の外周面８Ａには、把持部としての引掛突起８Ｃが４つ等間隔に設けられている。
【００５９】
図１、図２に示されるように、下タンク４１の底面４１Ｃには、４つのキャスタ９１が均等に設けられている。キャスタ９１は、図７に示されるように、車輪９１Ａと、車輪９１Ａと下タンク４１の底面４１Ｃとを接続する脚部９１Ｂ（図８）とから構成されている。底面４１Ｃのうち、少なくとも１つのキャスタ９１の近傍には、車輪９１Ａの旋回を規制する突当４１Ｅが設けられている。
【００６０】
上記の構成を有する集塵機１において、スイッチ３Ａをオンにするとモータ５が駆動され、ファン６が回転する。ファン６が回転することにより、ヘッドカバー３、タンク４内において気流が発生し、タンク４に形成された吸入口４ａからヘッドカバー３に形成された排出口３ａまで、空気を吸引する力が発生する。ダクトホース９２が電動工具に接続された場合を例に説明すると、まず電動工具例えば丸鋸により木材を切断すると、その際に発生した木屑等の粉塵を含む空気は、ダクトホース９２、吸入口４ａを介してタンク４内へと吸引される。タンク４内に吸引された空気は、さらに、ファン６によってヘッドカバー３内へと吸引される。このとき、この空気は、ヘッドカバー３を覆うように設けられたフィルタ装置７を通過し、清浄な空気と粉塵とに分離される。分離後、清浄な空気は、フィルタ装置７及びファン６を通過し、ヘッドカバー３に設けられた排出口３ａから外部へと排気される。一方、分離された粉塵は、フィルタ装置７の表面に吸着されタンク４内に存在し続ける。その後、スイッチ３Ａをオフにすると、モータ５及びファン６は停止し、タンク４内からヘッドカバー３へと空気及び粉塵を吸引する吸引力が失われるため、フィルタ装置７に吸着されていた粉塵は、重力によってタンク４内、より具体的には、タンク４のうちフィルタ装置７によって覆われている空間以外の空間である集塵空間４ｂ内に、堆積する。なお、モータ５を停止しても粉塵がフィルタ装置７に付着したままの状態も考えられるため、モータ５を停止する毎に不図示の除塵装置を動作させ、フィルタ装置７に付着している粉塵を振るい落とすようにしてもよい。
【００６１】
上述した集塵作業を行う際に、使用者は用途に応じて集塵空間４ｂの容量を変更する。具体的には、まず、使用者は把持部８Ｃを掴み、スクリュリング８を回転させる。スクリュリング８は、係合突起８Ｄを介して、下タンク４１のねじ部４１ａに沿って回転し上下方向に移動する。このとき、突起４２Ｄを介してスクリュリング８に支持されている上タンク４２は、スクリュリング８と共に上下方向に移動するため、上タンク４２のうち下タンク４１内に収容される容積を変更することができる。よって、タンク４の容量は変更され、タンク４とフィルタ装置７とによって画成される集塵空間４ｂの容量が変更される。例えば、図１は集塵空間４ｂを最小とした状態の集塵機１を示す。この状態から、スクリュリング８を回動させていくと、図４に示されるように、スクリュリング８と上タンク４２とは上方へ（下タンク４１から離れる方向に）移動し、集塵空間４ｂを大きくすることができる。このとき、フィルタ装置７は、上タンク４２に支持されているので、上タンク４２に追従し上方へに移動する。なお、図１に示されるように、集塵空間４ｂを最小とした状態で、フィルタ装置７（具体的には除塵装置）の底部が底面４１Ｃの内面に当接し集塵した粉塵を付着してしまわないように、ねじ部４１ａが形成されている。
【００６２】
図４は、集塵空間４ｂを最大とした状態の集塵機１を示す。なお、上述したように、下タンク４１のねじ部４１ａのうち始点と終点には、係合突起８Ｄの回動範囲を規制する規制壁４１Ｅ（図５）が設けられており、図１の状態では、スクリュリング８の係合突起８Ｄが始点の規制壁４１Ｅに当接している。図４の状態では、係合突起８Ｄが終点の規制壁４１Ｅに当接している。
【００６３】
このような集塵機１によれば、タンク４とフィルタ装置７とは、フィルタ装置７によって分離された粉塵を収容する集塵空間４ｂを画成し、タンク４は下タンク４１と、下タンク４１に対し相対的に上下方向に移動する上タンク４２とを設けたため、集塵空間４ｂの容量を変更することができる。よって、従来のように集塵容量別に複数台の集塵機を所有する必要がなく、コストを低減でき、集塵機を保管しておくスペースを小さくすることができる。
【００６４】
また、運搬時、移動時等の集塵作業を行わない際には、上タンク４２を下タンク４１側に移動させることにより、集塵機１の高さを小さくすることができる。よって、運搬時にトラック等に積載する際には、より多くの集塵機を積載することができる。また、作業現場において高さが低い箇所でも集塵機１の移動を容易に行えるため、操作性を向上させることができる。
【００６５】
また、上タンク４２を下タンク４１に対して相対的に移動させるスクリュリング８を有するので、スクリュリング８によって上タンク４２を下タンク４１に対し上下方向に移動させることにより集塵空間４ｂの容量を簡単に変更することができる。
【００６６】
また、移動手段を、ねじ部４１ａと、ねじ部４１ａに係合する係合突起８Ｄとで構成し、一方（本実施の形態では、係合突起８Ｄ）を回動可能に構成したため、スクリュリング８を回動させれば簡単に集塵空間４ｂの容量を変更することができる。また、安価で簡易な構成で移動手段を実現できるので、経済的である。
【００６７】
また、スクリュリング８によって下タンク４１と上タンク４２とを接続するため、上タンク４２を下タンク４１とは別部材で構成することができ、集塵空間４ｂの容量を変更することができる。また、下タンク４１と上タンク４２との間から空気が漏れることを防止することができる。
【００６８】
また、スクリュリング８は、タンク４に対し回動可能に構成されているため、スクリュリング８を回動するだけで簡単に集塵空間４ｂの容量を変更することができる。また、集塵空間４ｂの容量を微調整することができる。
【００６９】
また、ねじ部４１ａが下タンク４１の外周面４１Ａに設けられ、係合突起８Ｄがスクリュリング８の内周面８Ｂに設けられているので、スクリュリング８を下タンク４１に対し回動させることにより、簡単な構成で集塵空間４ｂの容量を変更することができる。よって、上タンク４２の形状を単純化でき、複雑な加工が不要となる。また、回動動作によってスクリュリング８が摩耗した際には、スクリュリング８のみを交換し上タンク４２をそのまま使用することができるので経済的である。なお、係合突起を下タンク４１の外周面４１Ａに設け、ねじ部をスクリュリング８の内周面８Ｂに設けても、同様の効果が得られる。
【００７０】
また、接続部４２Ｃは上タンク４２に設けられ、支持溝８ａはスクリュリング８の全周に設けられ、上タンク４２は、スクリュリング８に対し相対的に回動可能に支持されている。このような構成により、スクリュリング８を回動する際に、上タンク４２に設けた接続部４２Ｃがスクリュリング８に設けた支持溝８ａと係合するため、上タンク４２はスクリュリング８に支持され、スクリュリング８を回動するだけの簡単な操作により上タンク４２が上下動可能となり、簡単に集塵空間４ｂの容量を変更することができる。なお、接続部をスクリュリング８の内周面８Ｂに設け、支持溝を上タンク４２の外周面４２Ａに設けても、同様の効果が得られる。
【００７１】
また、下タンク４１の内周面４２Ｂには位置決め突起４１Ｄが設けられ、上タンク４２の外周面４２Ａには、位置決め突起４１Ｄに係合可能な位置決め溝４２ｂが形成され、位置決め溝４２ｂは上下方向に延びているので、スクリュリング８を下タンク４１に対し回動させた際には、上タンク４２が下タンク４１に対し回転することを防止でき、上タンク４２は上下方向にのみ移動することができる。なお、位置決め突起をスクリュリング８の内周面８Ｂに設け、位置決め溝を上タンク４２の外周面４２Ａに設けても、同様の効果が得られる。
【００７２】
また、ねじ部４１ａのねじ溝には、係合突起８Ｄの回動範囲を規制する規制片４１Ｅを設けたため、上タンク４２の下タンク４１に対する移動範囲を簡易な構成で規制することができ、集塵空間４ｂの最大容量と最小容量とを容易に調整することができる。
【００７３】
また、ねじ部４１ａを多条ねじとしたため、スクリュリング８を少し回動させるだけで、上タンク４２を上下方向に大きく移動させることができるので、集塵空間４ｂの容量を大幅に変更することができる。よって、操作性を向上させることができる。
【００７４】
また、スクリュリング８に引掛突起８Ｃを設けたため、スクリュリング８を回動させる際に、引掛突起８Ｃに指を引掛けることができ、容易にスクリュリング８を回動することができる。よって、操作性の向上させることができる。また、引掛突起８Ｃはスクリュリング８の外周面８Ａに設けられた凸部であるため、簡易な構成によって把持部を形成することができる。
【００７５】
また、タンク４の下部（下タンク４１の底面４１Ｃ）には、複数のキャスタ９１が設けられ、少なくとも１つのキャスタ９１は旋回不能であるので、スクリュリング８を回動させる際に、下タンク４１がスクリュリング８と共に回転することを防止できる。
【００７６】
また、上タンク４２の内周を下タンク４１の外周より小さくしたため、スクリュリング８を回動させることによって上タンク４１の一部を下タンク４２内に収容した際に、上タンク４１と下タンク４１とが摺動し抵抗となることがない。さらに、下タンク４１は上タンク４２を上下方向に移動させる際のガイドとなり、上タンク４２が傾いたりねじれたりすることを防止することができる。また、別途タンク４をガイドする部材を設ける必要がないので、部品点数の増加を防止することができる。
【００７７】
また、フィルタ装置７は、上タンク４２によって支持され上タンク４２に追従し上下方向に移動するので、フィルタ装置７の支持部材及び移動手段を別途用意する必要がなく、簡単な構成で集塵機１を構成することができる。よって、部品点数の増加を防止することができる。
【００７８】
次に、本発明の第２の実施の形態に係る集塵機１０１について、図９に基づき説明する。なお、図１乃至図８に示される部材と同一の部材は同一の番号を付し、説明を省略する。
【００７９】
集塵機１０１は、第１の実施の形態に係る集塵機１におけるスクリュリング８に換えて、スクリュリング１０８を設けている。スクリュリング８は内周面８Ｂに係合突起８Ｄを設けた構成であったが、スクリュリング１０８は、係合突起８Ｄに換えて、ねじ部４１ａのねじ溝に係合する径を有するピン１８１が設けられている。
【００８０】
本発明の第３の実施の形態に係る集塵機２０１について、図１０に基づき説明する。集塵機２０１は、第２の実施の形態に係る集塵機１０１において、下タンク４１に形成されたねじ部４１ａをスクリュリングに設け、スクリュリング１０８に設けられたピン１８１を下タンクに設けた構成となっている。具体的には、スクリュリング２０８の内周面２０８Ｂに、ねじ部２０８ａが形成されている。下タンク２４１の外周面２４１Ａには、ねじ部２０８ａのねじ溝に係合する径を有するピン２４３が設けられている。なお、本実施の形態では、スクリュリング２０８のねじ部２０８ａのうち上タンク２４２側にピン２４３が位置する程、上タンク２４２は下タンク２４１内に収容される部分が大きくなり、集塵空間４ｂの容量は小さくなる。そのため、上タンク２４２の外周面２４２Ａから突出する接続部２４２Ｄは、第１、第２の実施の形態に係る集塵機１、１０１の接続部２４Ｄに比べて小さく設けられている。
【００８１】
第２、第３の実施の形態に係る集塵機によれば、係合部をねじ部４１ａ、２０８ａのねじ溝に係合する径を有するピン１８１、２４３で構成したので、ねじ部４１ａ、２０８ａのねじ溝と係合部とが接触する面積が小さくなり、すなわち、第１の実施の形態では、係合突起８Ｄとねじ部４１ａとは面接触しているのに対し、第２及び第３の実施の形態では、係合突起８Ｄに換えてピン１８１、２４３としたので、ねじ部４１ａ、２０８ａと係合部とは線接触となり、スクリュリング１０８、２０８を回動させる際に、ねじ部４１ａ、２０８ａのねじ溝とピン１８１、２４３との摩擦を低減することができる。よって、集塵空間４ｂ、２０４ｂを変更する際に、スクリュリング１０８、２０８の下タンク４１、２４１に対する回動が容易となり、容易にスクリュリング１０８、２０８を回動させることができ、操作性が向上する。
【００８２】
図１１に示されるように、第４の実施の形態に係る集塵機３０１のスクリュリング３０８には、第２の実施の形態に係る集塵機１０１のピン１８１に換えて、下タンク４１に設けられたねじ部４１ａに係合する外径を有するローラ３８２と、ローラ３８２を回転可能に支持するピン３８１とが設けられている。同様に、図１２に示されるように、第５の実施の形態に係る集塵機４０１の下タンク４４１には、第３の実施の形態に係る集塵機２０１のピン２４１に換えて、ねじ部２０８ａに係合する外径を有するローラ４８２と、ローラ４８２を回転可能に支持するピン４８１とが設けられている。
【００８３】
第４、第５の実施の形態に係る集塵機によれば、係合部は、ねじ部４１ａ、２０８ａのねじ溝に係合可能な外径を有するローラ３８２、４８２と、ローラ３８２、４８２を回転可能に支持するピン３８１、４８１を有するので、ねじ部４１ａ、２０８ａとローラ３８２、４８２とはころがり接触となり、スクリュリング８を回動させる際の摩擦を低減することができる。よって、容易にスクリュリング２０８、３０８を回動させることができ、操作性が向上する。
【００８４】
図１３に示されるように、第６の実施の形態に係る集塵機５０１のスクリュリング５０８には、第２の実施の形態に係る集塵機１０１のピン１８１に換えて、ねじ部４１ａに係合する径を有するピン５８１と、ピン５８１を回転可能に支持するボールベアリング５８２とが設けられている。同様に、図１４に示される第７の実施の形態に係る集塵機６０１の下タンク６４１には、第３の実施の形態に係る集塵機１０１のピン２４１Ｄに換えて、ねじ部２０８ａに係合する径を有するピン６８１と、ピン６８１を回転可能に支持するボールベアリング６８２とが設けられている。
【００８５】
第６、第７の実施の形態に係る集塵機によれば、係合部は、ねじ部４１ａ、２０８ａのねじ溝に係合可能なピンと、ピン５８１、６８１を回転可能に支持するボールベアリング５８２、６８２とを有するので、ねじ部４１ａ、２０８ａとピン５８１、６８１とは転がり接触となり、スクリュリング８を回動させる際のねじ溝と係合部との摩擦を低減することができる。よって、容易にスクリュリング８を回動させることができ、操作性が向上する。
【００８６】
なお、本発明による集塵機は、上述した実施の形態に限定されず、種々の変形や改良が可能である。例えば、図１５に示されるように、スクリュリング８の外周に緩衝材９３を設けてもよい。このような構成によれば、移動時や運搬時等に受ける外部からの衝撃を吸収することができる。よって、スクリュリング８の変形を防止することができる。
【００８７】
また、上述した実施の形態では、スクリュリングは完全な円筒状に形成されているが、図１６に示されるスクリュリング７０８のような構成であってもよい。スクリュリング７０８は、スクリュリング本体部７８１と、スクリュリング本体部７８１の内径を調整する調整ボルト７８２とから構成されている。スクリュリング本体部７８１は、一端部７８１Ａと、一端部７８１Ａと離間しながら対向する他端部７８１Ｂと、一端部７８１Ａから他端部７８１Ｂまで円弧状に延びる円弧部７８１Ｃと、を有している。一端部７８１Ａには、雌ねじが切られたねじ孔７８１ａが形成され、他端部７８１Ｂには貫通孔７８１ｂが形成されている。調整ボルト７８２は、一端部７８１のねじ孔７８１ａと係合する雄ねじが形成された軸部７８２Ａと、軸部７８２Ａによる締付力を調整する操作部７８２Ｂとを有している。一端部７８１Ａと他端部７８１Ｂとは調整ボルト７８２によって接続され、操作部７８２Ｂを回動することにより、調整ボルト７８２は他端部７８１Ｃを一端部７８１Ａへと付勢させる。
【００８８】
このような構成によれば、調整ボルト７８２によってスクリュリング７０８の内径を調整することにより、下タンク４１と上タンク４２とのガタつきを吸収することができる。また、樹脂成形をする場合には、一端部と他端部とを一体的に形成する場合と比較して、型構造が単純となり、安価な型代で収めることができる。
【００８９】
また、調整ボルト７８２に換えて、一端部７８１Ａには固着突起又は固着溝が設け、他端部７８１Ｂには固着突起又は固着溝と係合する固着凹部及び固着凸部を設けてもよい。このような構成によれば、固着突起と固着凹部、又は、固着溝と固着凸部、を係合、解除することにより、容易にスクリュリング７０８を着脱することができる。また、一端部７８１Ａと他端部７８１Ｂとは位置決めと固定とが同時になされるので、組立性を向上させることができる。
【００９０】
また、上述した実施の形態では、上タンクが下タンクの内径よりも僅かに小さい外径を有する構成としたが、下タンクが上タンクの内径よりも僅かに小さい外径を有する構成としてもよい。このような構成の場合、スクリュリングに設けられたねじ部と係合する係合部を上タンクの外周面に設け、また、スクリュリングは下タンクによって支持されている構成とすれば、スクリュリングの回動に伴い上タンク内に下タンクが収容され、集塵容量の変更ができる。
【００９１】
また、上述した実施の形態では、スクリュリング８に把持部として引掛突起８Ｃを設けたが、把持部は溝形状でもよい。
【００９２】
また、上述した実施の形態では、スクリュリングを介して上下タンクを接続し集塵空間の変更を行ったが、ヘッド部をタンク部に対して回動させても問題ない場合には、ねじ部を上タンク４２の外周面４２Ａに設け、係合部を下タンク４１の内周面に設け、スクリュリングを介さずに上下タンクを直接接続してもよい。このような構成によれば、上タンクを下タンクに対して回動させることにより、上タンクを上下方向に移動させることができる。よって、より安価で簡易な構成で、集塵空間の容量を変更することができる。
【産業上の利用可能性】
【００９３】
本発明は、粉塵発生量の予測ができない環境下において使用される集塵機に好適に利用できる。
【図面の簡単な説明】
【００９４】
【図１】本発明の第１の実施の形態に係る集塵機の集塵容量を最小とした状態を示す一部断面を含む正面図である。
【図２】本発明の第１の実施の形態に係る集塵機を示す側面図である。
【図３】本発明の第１の実施の形態に係る集塵機を示す平面図である。
【図４】本発明の第１の実施の形態に係る集塵機の集塵容量を最大とした状態を示す一部断面を含む正面図である。
【図５】本発明の第１の実施の形態に係る集塵機のねじ部を示す（ａ）平面図、（ｂ）断面図である。
【図６】図１におけるVI部を示す拡大図である。
【図７】図１におけるVII矢視を示す拡大図である。
【図８】図７におけるVIII−VIII断面図である。
【図９】本発明の第２の実施の形態に係る集塵機を示す一部断面を含む正面図である。
【図１０】本発明の第３の実施の形態に係る集塵機を示す一部断面を含む正面図である。
【図１１】本発明の第４の実施の形態に係る集塵機を示す一部断面を含む正面図である。
【図１２】本発明の第５の実施の形態に係る集塵機を示す一部断面を含む正面図である。
【図１３】本発明の第６の実施の形態に係る集塵機を示す一部断面を含む正面図である。
【図１４】本発明の第７の実施の形態に係る集塵機を示す一部断面を含む正面図である。
【図１５】本発明の変形例に係る集塵機のスクリュリングを示す平面図である。
【図１６】本発明の他の変形例に係る集塵機のスクリュリングを示す平面図である。
【図１７】従来の集塵機を示す一部断面を含む正面図である。
【符号の説明】
【００９５】
１、１０１、２０１、３０１、４０１、５０１、６０１・・・集塵機    
２・・ハウジング    ３・・ヘッドカバー    ３Ａ・・スイッチ    ３ａ・・排出口    
４・・タンク    ４ａ・・吸入口    ４ｂ、２０４ｂ・・集塵空間    ５・・モータ    
６・・ファン    ７・・フィルタ装置    
８、１０８、２０８、７０８・・スクリュリング    ８Ａ・・スクリュリングの外周面  ８ａ・・支持溝    ８Ｂ、２０８Ｂ・・スクリュリングの内周面    ８Ｃ・・引掛突起
８Ｄ・・係合突起    ２４Ｄ、２４２Ｄ・・接続部    
４１、２４１、４４１、６４１・・下タンク    ４１ａ、２０８ａ・・ねじ部    
４１Ａ、２４１Ａ・・下タンクの外周面    ４１Ｂ・・下タンクの内周面    
４１ｂ・・溝部    ４１Ｃ・・底面    ４１Ｄ・・位置決め突起    ４１Ｅ・・規制壁
４２、２４２・・上タンク    ４２ａ・・係合溝部  ４２Ａ・・上タンクの外周面
４２Ｂ・・上タンクの内周面    ４２Ｃ・・接続部    ４２Ｄ・・突起    
９１・・キャスタ    ９１Ａ・・車輪    ９１Ｂ・・脚部    ９２・・ダクトホース    
９３・・緩衝材    １８１、２４３、３８１、４８１、５８１、６８１・・ピン    
３８２、４８２・・ローラ    ５８２、６８２・・ボールベアリング    
７８１・・スクリュリング本体部    ７８１ａ・・ねじ孔    ７８１Ａ・・一端部    
７８１ｂ・・貫通孔    ７８１Ｂ・・他端部    ７８１Ｃ・・円弧部    
７８２・・調整ボルト    ７８２Ａ・・軸部    ７８２Ｂ・・操作部
【図１】
0004962913.tif 000002
【図２】
0004962913.tif 000003
【図３】
0004962913.tif 000004
【図４】
0004962913.tif 000005
【図５】
0004962913.tif 000006
【図６】
0004962913.tif 000007
【図７】
0004962913.tif 000008
【図８】
0004962913.tif 000009
【図９】
0004962913.tif 000010
【図１０】
0004962913.tif 000011
【図１１】
0004962913.tif 000012
【図１２】
0004962913.tif 000013
【図１３】
0004962913.tif 000014
【図１４】
0004962913.tif 000015
【図１５】
0004962913.tif 000016
【図１６】
0004962913.tif 000017
【図１７】
0004962913.tif 000018